(57)【要約】【課題】本発明の課題は、指静脈情報などの生体情報を登録する生体情報登録装置において、高いセキュリティを保持しつつ、利用者にとって簡単な操作で生体情報を登録する生体情報登録システムを提供することにある。【解決手段】前記システムを採用する本発明によれば、生体情報登録システムにおいて、生体認証を実施した生体情報を、ＩＣカードに登録することにより、高いセキュリティを保持しつつ、利用者にとって簡単な操作で生体情報を登録することが可能である。【選択図】図２
2008307140.tif 000002
【特許請求の範囲】
【請求項１】
予め利用者の生体情報を登録したＩＣカードを読み取るカードリーダ部と、生体情報を
読み取る生体情報読み取り部と、表示画面を有する表示部を備え、前記カードリーダ部で
前記ＩＣカードに登録された生体情報を読み取り、読み取った前記生体情報における生体
認証を実施して本人認証を行う生体情報登録認証システムにおいて、予め利用所の生体情
報を登録したＩＣカードを所持している場合に、前記ＩＣカードに登録された生体情報を
読み取り、読み取った前記生体情報における生体認証を実施し、前記読み取り部にて読み
取った生体情報を利用者の生体情報が登録されていないＩＣカードに登録することを特徴
とした、生体情報登録システム。
【請求項２】
係員のいない無人環境での生体情報登録が可能であることを特徴とする請求項１記載の
生体情報登録システム。
【発明の詳細な説明】
【技術分野】
【０００１】
本発明は、予め利用者の生体情報を登録したＩＣカードを読み取るカードリーダ部と、
生体情報を読み取る生体情報読み取り部と、表示画面を有する表示部を備え、前記カード
リーダ部で前記ＩＣカードに登録された生体情報を読み取り、読み取った前記生体情報に
おける生体認証を実施して本人認証を行う生体情報登録認証システムに関する。
【背景技術】
【０００２】
金融業界では、印鑑偽造、カード偽造による不正取引が大きな問題となっている。これ
に伴い、個人固有の特徴である生体情報を使用する生体認証が、偽造や盗難の危険が少な
い、より確度の高い個人認証手段として認知されつつある。さらに、利用者の体情報をＩ
Ｃカードに登録して利用者が所有することにより、利便性、および生体情報の偽造耐性を
向上させることが可能である。
【０００３】
特許文献１には、操作者が登録者の生体情報を登録する登録方式が提案されている。こ
の登録方式は、必要な手続きを実施せずに生体情報登録を行えないよう抑止することによ
り登録漏れを防ぎ、操作者に必須手続きを過度に意識させることなく、操作性を向上させ
ることが可能である。
【０００４】
また、特許文献２には、指静脈情報を登録する際に、指静脈リーダにセットされた指の
状態を撮影し、その撮影された画像からどの指が登録されようとしているか判別し、予め
利用者が選択した指と一致しているか否か判断する方式が提案されている。この登録方式
は、指と指静脈情報の対応が誤って登録されることを防止することが可能である。
【０００５】
【特許文献１】特開２００７−５２６８０号公報
【特許文献２】特開２００７−２０６６９号公報
【発明の開示】
【発明が解決しようとする課題】
【０００６】
前記従来例によれば、利用者にとって生体情報の登録操作は複雑であるため、操作者が
利用者に対して操作の誘導を行う必要がある。また、誤登録や偽造を防止するために、無
人環境での登録することが困難であるという課題が生じる。
【０００７】
たとえば、特許文献１のように生体情報登録の操作者に対して、利用者の生体情報登録
漏れを防ぎ、かつ操作性を向上した生体情報登録方式においては、操作者の負担は軽減さ
れるが、操作者が必要となるため、利用者のみで生体情報を登録することまでは考慮され
ていない。
【０００８】
また、特許文献２のように指静脈リーダにセットされた指の状態を撮影し、その撮影さ
れた画像からどの指が登録されようとしているか判別し、予め利用者が選択した指と一致
しているか否か判断する方式では、利用者のみで生体情報を登録する場合の誤登録を防止
することは可能であるが、利用者以外の第三者の生体情報を登録することによるなりすま
しを防止することまでは考慮されていない。
【０００９】
本発明の目的は、利用者のみで登録操作を行う場合において、高いセキュリティを保持
しつつ、利用者にとって簡単な操作で生体情報を登録できる生体情報登録方式を提供する
ことにある。
【課題を解決するための手段】
【００１０】
前述の目的を達成するために、本発明は、予め利用者の生体情報を登録したＩＣカード
を読み取るカードリーダ部と、生体情報を読み取る生体情報読み取り部と、表示画面を有
する表示部を備え、前記カードリーダ部で前記ＩＣカードに登録された生体情報を読み取
り、読み取った前記生体情報における生体認証を実施して本人認証を行う生体情報登録認
証システムにおいて、予め利用所の生体情報を登録したＩＣカードを所持している場合に
、前記ＩＣカードに登録された生体情報を読み取り、読み取った前記生体情報における生
体認証を実施し、前記読み取り部にて読み取った生体情報を利用者の生体情報が登録され
ていないＩＣカードに登録するようにした。
【００１１】
上述のようなシステムとしたので、たとえば、利用者は既にＩＣカード内に登録されて
いる右手中指と右手人差し指の指静脈情報を用いて生体認証を実施するだけで、生体情報
が未登録である新しいＩＣカードに、右手中指と右手人差し指の指静脈情報を登録するこ
とが可能である。生体認証を実施した指静脈情報を登録するため、第三者によるなりすま
しを防ぐことが可能であり、同時に選択した指と違う指静脈情報を登録してしまう誤登録
を防ぐことができる。
【００１２】
さらに、本システムによれば、操作者のいない利用者のみの環境においても、高いセキ
ュリティを保持しつつ、利用者にとって簡単な操作で生体情報を登録することが可能であ
る。
【００１３】
利用者は、画面に表示される案内にしたがって生体認証を実施するだけで、生体情報の
登録が可能であるため、利用者のみの環境においても、高いセキュリティを保持しつつ、
簡単な操作で生体情報を登録することができる。
【００１４】
ここでは、生体情報として指静脈を使用して説明したが、例えば、指紋、手のひら静脈
、顔、虹彩など、様々な生体情報の登録も可能である。
【発明の効果】
【００１５】
本発明によれば、セキュリティを保持しつつ、利用者にとって使いやすい生体情報登録
方式を提供することができる。
【発明を実施するための最良の形態】
【００１６】
以下に、図１から図２を参照して、本発明の一実施例を説明する。本実施形態は、生体
情報として、右手中指と右手人差し指の指静脈情報が登録されたＩＣカードを用いて、金
融機関システムに採用される自動取引装置を例にして説明する。
【００１７】
まず、図１は、生体情報登録システムの一実施例形態の構成を示すブロック図である。
本実施例の生体情報登録システムは、指静脈情報の登録装置１の機能ブロック図を示す。
登録装置１は、指静脈情報を読み取る指静脈リーダ５、装置の操作案内を表示する表示部
であるディスプレイ２、利用者が選択した処理などを入力する入力部であるタッチパネル
３、指静脈情報を書き込んだＩＣカードの読み書きを行ったりするカードリーダライタ４
、登録装置１の各部の制御を行う主制御部６から構成される。さらに、主制御部６は、Ｃ
ＰＵ７、メモリ８、記録部９から構成される。
【００１８】
図２は、登録装置１が指静脈情報を登録する登録処理フローを示す。
【００１９】
以下に、図１を適宜参照して、図２のフローを説明する。
【００２０】
利用者が来店すると、ディスプレイ２は利用者に対してＩＣカードの挿入を促す操作ガ
イダンスを表示し、利用者はカードリーダ４にＩＣカードを挿入する。カードリーダ４が
ＩＣカードの挿入を検知すると(処理１０)、ＩＣカードに指静脈情報が登録されているか
どうか確認する。指静脈情報が登録されている場合は、1本目の指静脈情報を読み込み（
処理１１）、ディスプレイ２に対して指静脈認証を促すガイダンスを表示し、指静脈認証
を実施する（処理１２）。指静脈情報の照合がＯＫであれば、読み取った指静脈情報を待
避し（処理１４）、ＩＣカードから２本目の指静脈情報を読み込み（処理１１）、ディス
プレイ２に対して指静脈認証を促すガイダンスを表示し、２本目の指の指静脈認証を実施
する（処理１２）。指静脈情報の照合がＯＫであれば、読み取った指静脈情報を待避する
（処理１４）。ＩＣカードに登録されている全ての指静脈情報の照合が終了したら、カー
ドリーダライタ４に挿入されているＩＣカードを排出し（処理１６）、ディスプレイ２は
利用者に対してＩＣカードの抜き取りを促す操作ガイダンスを表示する。カードリーダラ
イタ４からＩＣカードが抜き取られたことを検知すると、ディスプレイ２は利用者に対し
て生体情報未登録の新しいＩＣカードの挿入を促す操作ガイダンスを表示し、利用者はカ
ードリーダ４にＩＣカードを挿入する（処理１７）。カードリーダ４がＩＣカードの挿入
を検知すると、待避しておいた指静脈情報をＩＣカードに登録して（処理１８）、処理を
終了する。
【００２１】
この生体情報登録システムは指静脈以外に、指紋、手のひら静脈、顔、虹彩など、様々
な生体情報の登録に対応可能である。
【００２２】
また、処理１３において、指静脈認証がＮＧとなった場合は、次の指の指静脈認証を実
施し、照合ＯＫとなった指静脈データを新しいＩＣカードに登録しているが、いずれかの
指静認証がＮＧとなった場合は、登録処理を終了するようにしても良い。
【００２３】
なお、本実施例では、自動取引装置の形態での例を説明したが、銀行の窓口端末のよう
に、操作者が銀行の係員で、登録者が顧客である装置にも適用できる。
【図面の簡単な説明】
【００２４】
【図１】本発明の一実施形態である指静脈情報登録装置１の機能ブロック図を示す。
【図２】登録装置１が指静脈情報を登録する処理のフローチャートを示す。
【符号の説明】
【００２５】
１…登録装置、２…ディスプレイ、３…タッチパネル、４…カードリーダ、５…指静脈
リーダ、６…主制御部。
【図１】
2008307140.tif 000003
【図２】
2008307140.tif 000004